(57)【要約】【課題】  カメラから突出して形成された金具への衝撃をカメラのボディーに伝え難くする構造を有するカメラの構造体を提供すること。【解決手段】  カメラ１のボディー７から突出して形成される金具３、４を有し、前記金具３、４は、前記カメラ１のボディー７に弾性部材６を介して遥動可能に固定されているカメラの構造体。【選択図】  図１
2006227191.tif 000002
【特許請求の範囲】
【請求項１】
カメラのボディーから突出して形成される金具を有し、
前記金具は、前記カメラのボディーに弾性部材を介して遥動可能に固定されていることを特徴とするカメラの構造体。
【請求項２】
前記金具は、吊り金具であることを特徴とする請求項１に記載のカメラの構造体。
【請求項３】
前記カメラのボディーは、カメラの前ボディーまたは後ボディーであることを特徴とする請求項１または２に記載のカメラの構造体。
【請求項４】
前記弾性部材は、硬度が７０以上１００以下であることを特徴とする請求項１に記載のカメラの構造体。
【発明の詳細な説明】
【技術分野】
【０００１】
本発明は、カメラのボディーなどの構造体に関し、特に吊り金具を備えたカメラの構造体に関する。
【背景技術】
【０００２】
従来、カメラにはカメラ本体を吊り下げて持ち運びできるようにする、ストラップ取付用の吊り金具がカメラのボディー側面に設けられている。この吊り金具は、カメラの構造体である後ボディーに直接ねじなどで固定されている（例えば、特許文献１参照。）。
【特許文献１】実開平６−６９９５１号公報
【発明の開示】
【発明が解決しようとする課題】
【０００３】
吊り金具にストラップを取り付けてカメラ本体を持ち運び、カメラ本体を壁などの障害物にぶつけた時、カメラ側面に設けられている吊り金具が壁面に衝突してカメラの後ボディーに直接衝撃が伝わってしまう。後ボディーにはフイルムの平面性を確保するための内外レールや、デジタルカメラではＣＣＤの固定部材がある。さらに、レンズマウントやミラー駆動系を取り付ける構造体である前ボディーとも直接固定されている。この後ボディーへの衝撃が、後ボディーの変形を生じさせフイルムの平面性を損なったり、ＣＣＤの取り付け位置がずれたりして、カメラの性能が損なわれてしまうと言う問題がある。
【０００４】
本発明は、上記問題に鑑みて行われたものであり、カメラから突出して形成された金具への衝撃をカメラのボディーに伝え難くする構造を有するカメラの構造体を提供することを目的とする。
【課題を解決するための手段】
【０００５】
上記目的を達成するために、本発明は、カメラのボディーから突出して形成される金具を有し、前記金具は、前記カメラのボディーに弾性部材を介して遥動可能に固定されていることを特徴とするカメラの構造体を提供する。
【０００６】
また、本発明にかかるカメラの構造体では、前記金具は、吊り金具であることが好ましい。
【０００７】
また、本発明にかかるカメラの構造体では、前記カメラのボディーは、カメラの前ボディーまたは後ボディーであることが好ましい。
【０００８】
また、本発明にかかるカメラの構造体では、前記弾性部材は、硬度が７０以上１００以下であることが好ましい。
【発明の効果】
【０００９】
本発明によれば、カメラから突出して形成された金具への衝撃をカメラのボディーに伝え難くする構造を有するカメラの構造体を提供することができる。これにより、金具に外部から衝撃が加わっても、ボディーの変形を防止することができ、カメラの性能が損なわれることを防ぐことができる。
【発明を実施するための最良の形態】
【００１０】
以下、本発明の一実施の形態に関し図１から図３を参照しつつ説明する。
【００１１】
図１は、本発明の実施の形態にかかる吊り金具を有するカメラを背面から見た部分断面を含む図である。図２は、本実施の形態にかかる吊り金具の固定部の断面図（図１のＡ−Ａ線に沿った）である。図３は、本実施の形態の吊り金具の衝撃吸収状態の説明図であり、（ａ）は、左方から、（ｂ）は左下方から衝撃が加わった場合をそれぞれ示す。
【００１２】
図１において、カメラ１の裏蓋は説明の都合上外してある。カメラ１のファインダ２を挟んで左右上方にストラップを取り付けるための吊り金具３、４が配設されている。左右の吊り金具３、４は、供にカメラのボディー部５より突出している。左右の吊り金具３、４の構成は同じであるので左側の吊り金具３の周りについて説明し、吊り金具４の周りの説明は省略する。
【００１３】
後ボディー７の吊り金具３の下方には、パトローネを収納するパトローネ室１０が後ボディー７に形成されている。また、パトローネ室１０の右側には、フイルムの上下方向とマウントまでの距離を規制する内外レール１１、１１が後ボディー７に取り付けられている。内外レール１１、１１の右側には、フイルムのパーフォレーションを検知するスプロケット１２、およびフイルムを巻き上げるスプール１３が配置されている。
【００１４】
図２は、図１のＡ−Ａ線に沿った断面図である。図２に示すように、吊り金具３の軸部３ａは、弾性部材６を介して後ボディー７に遥動可能に固定されている。後ボディー７の円筒状の穴７ａに断面がコの字状の円筒状の弾性部材６（図３参照）を嵌合し、弾性部材６の内周部に吊り金具３の軸部３ａが嵌合されている。吊り金具３の軸部３ａと弾性部材６には、ねじ部材８を挿通する穴９が形成されている。吊り金具３は、ねじ部材８を穴９に挿通して後ボディー７にねじ部８ａでねじ止め固定する。ねじ部材８を挿通する穴９は、ねじ部材８の直径より僅かに大きく形成されている。この結果、吊り金具３に衝撃が加わった際、吊り金具３が上下左右に遥動すると供に弾性部材６が変形して衝撃を吸収するために、衝撃が後ボディー７に伝わり難くなる。
【００１５】
弾性部材６には、硬質プラスチック、ゴム、エラストマー、軟質の金属、ゲル状の樹脂などが使用可能である。また、弾性部材６の硬度は７０以上１００以下のものが衝撃を有効に吸収できるので好ましい。硬度が７０未満では、弾性部材６が変形しすぎて衝撃を十分吸収できないので好ましくない。硬度が１００を超えると、弾性部材６が硬くなりすぎ衝撃を受けた時に十分に変形せず衝撃を吸収できなくなるので好ましくない。また、本発明の効果を確実にする為に、硬度が９０〜９５の弾性部材が望ましい。
【００１６】
図３は、吊り金具３に衝撃が加わった際の吊り金具３の変形状態の例を示す。図３（ａ）は、吊り金具３に左側（図３（ａ）の矢印で示す）から衝撃が加わった場合を示している。この時、吊り金具３は、衝撃によって右方向にずれ、弾性部材６の底部が変形して衝撃を吸収し後ボディー７に伝達される衝撃を緩和することができる。
【００１７】
図３（ｂ）は、左側下方（図３（ｂ）の矢印で示す）から衝撃が加わった場合を示している。この時、吊り金具３は、ねじ部材８を軸にして回転する方向の力を受けが、弾性部材６が変形して衝撃を吸収するため、後ボディー７に伝達される衝撃を緩和することができる。
【００１８】
このように、本実施の形態によれば、吊り金具３、４が弾性部材６を介して遥動可能にカメラのボディーに固定されているため、吊り金具３、４に衝撃が加わった時に弾性部材６が変形して衝撃を緩和することができる。これにより、カメラのボディーが変形することを防止することができる。なお、後ボディーに限らず、前ボディーに突出した金具が固定されている場合も同様の効果を奏する。
【００１９】
なお、上記説明はフィルムカメラについて行ったが、デジタルカメラのボディーにおいても、同様にボディーの変形などが防止できるため、カメラの性能を損なう虞を回避することができる。また、吊り金具に限らず、カメラのボディーから突出して形成された金具の固定にも同様の効果を奏する。
【００２０】
なお、上述の実施の形態は例に過ぎず、上述の構成や形状に限定されるものではなく、本発明の範囲内において適宜修正、変更が可能である。
【図面の簡単な説明】
【００２１】
【図１】本発明の実施の形態にかかる吊り金具を有するカメラを背面から見た部分断面を含む図である。
【図２】本実施の形態にかかる吊り金具固定部の図１のＡ−Ａ線に沿った断面図である。
【図３】本実施の形態の吊り金具の衝撃吸収状態の説明図であり、（ａ）は、左方から、（ｂ）は左下方から衝撃が加わった場合をそれぞれ示す。
【符号の説明】
【００２２】
１    カメラ
２    ファインダ
３、４  吊り金具
５    ボディー部
６    弾性部材
７    後ボディー
８    ねじ部材
９    穴
１０  パトローネ室
１１  内外レール
１２  スプロケット
１３  スプロール
【図１】
2006227191.tif 000003
【図２】
2006227191.tif 000004
【図３】
2006227191.tif 000005